【事件の表示】
　特願２００３−１５３２２４「眼科装置」拒絶査定不服審判事件〔平成１６年１２月１６日出願公開、特開２００４−３５０９８６〕について、次のとおり審決する。
【結　論】
　本件審判の請求は、成り立たない。
【理　由】
１．手続の経緯・本願発明
　　
　本願は、平成１５年５月２９日の出願であって、平成１９年１２月５日付け拒絶理由通知に対して、平成２０年２月１２日付けで手続補正がされたが、同年３月２８日付けで拒絶査定がされ、これに対し、同年５月１日に拒絶査定不服審判の請求がされたものである。
　　
　そして、本願の請求項１に係る発明は、平成２０年２月１２日付け手続補正書によって補正された明細書の特許請求の範囲請求項１に記載された事項により特定されたとおりのものであって、その請求項１に係る発明は次のとおりのものと認める。
　　
「【請求項１】　チャート板を照明し、又は被検眼の眼底を観察若しくは撮影する照明光学系を所定の筐体内に配置し、被検眼を検査又は観察若しくは撮影する眼科装置において、筐体に設けられた部材に当接することにより光源の位置合わせを行う位置合わせ用フランジが取り付けられた照明光源と、照明光源が着脱自在なソケットと、該ソケットに電気的に接続された第1コネクタと、を有するランプユニットと、前記照明光源に電力を供給するコネクタであって、ランプユニットを装置に取り付ける際に前記第1コネクタを所定の位置に導くガイド部材を有し、ランプユニットの着脱に伴って第１コネクタが着脱される第２コネクタと、を備え、照明光源の交換時にはランプユニットごと予備のランプユニットに取り換える構成としたことを特徴とする眼科装置。」
　　
２．引用例
　原査定の拒絶の理由に引用され、本願出願前に頒布された刊行物である実願昭５５−１５４７８６号（実開昭５７−７６６０８号）のマイクロフィルム（以下、「引用例」という。）には、図面とともに以下の技術事項が記載されている。
　　
（１）「第2図は手術用顕微鏡の鏡筒部の内部構成を示す概略図である。鏡筒22はサポートアーム21によって顕微鏡架台アーム（図示せず）に結合保持されている。鏡筒22には、手術術式あるいは手術患部の深さによって、その焦点拒離を変えるため、変換可能な対物レンズ32をもつ。また鏡筒22内には、手術中、手術患部を照明しつづける観察用照明光を供給するための、オプティカルファイバーライトガイド28を有し、このライトガイド28から射出した照明光は、対物レンズ32を通り、焦光され、手術患部を照明する。手術患部からの反射光は、再び対物レンズ32を通り、ガリレオ双眼顕微鏡光学系の変倍光学系29を通り、ビームスプリッター24に入射する。ビームスプリッター24に入射した光は、反射透過面24bで反射され反射面24aで反射し、写真撮影装置23の結像レンズ23aで、フィルム23b上に手術患部からの情報を結像撮影する。またビームスプリッター24の反射透過面24bを透過した光は、反射面24cで反射され接眼部の反射光学部材25の反射面25aで反射し、もうーつの反射光学部材26の反射面26aで反射され接眼レンズ系27を通し 、術者に手術患部を観察させる。
　一方、写真撮影用照明装置31は、ミラーのような光偏向部材31aと発光光線31dとからなり、この発光光源31dが対物鏡筒外に配設され、光偏向部材31aから対物鏡筒内で対物レンズの後方に配設されている。そして発光光源31dは、対物鏡筒22の側面に穿設された開口部43を覆って対物鏡筒22に装着されるランプハウス31c内に内蔵されている。このランプハウス31cに突設されたプラグ31bと対物鏡筒22に設けられたソケット45とを互いに嵌入させて、電気的接続と対物鏡筒へのランプハウス31cの装着とを同時に行なっている。プラグ31bと発光光源3ldの一例としてのキセノンランプとが接続されており、対物鏡筒22のソケット45からプラグ3lbを介して、トリガー電気、照明用電気が供給される。光偏光都材31aは、ほぼ鏡筒22に穿設された開ロ43に対向して鏡筒22内の変倍光学系29の駆動装置30と対物レンズ32との空間に設けられ、発光光源31dからの光を反射して対物レンズの光軸近傍を通って術部へ到達させるよう角度設定されている。またこの光偏向部材31aは、発光光源からの光が変倍光学系29に入射し、有害光とならないようにするため対物レンズ32側のみを開いた遮光カバー33が設けられている。
　第3図および第4図で示すように、写真撮影用照明装置の発光光源31aの交換は、交換自在に取付けられたランプハウス31cごと交換するもので、対物レンズ32を取りはずさなくても交換することができる。そして鏡筒22の先端部は、鏡筒22にランプハウス31cを装着した簡単な筒状の金属製または合成樹胎製の滅菌カバー46でカバー出来るようにされている。また、この滅菌カバー46は、鏡筒22に設けた変倍倍率表示窓44に対応する穴47 を有している。」（第７頁第３行〜第９頁第１７行）
　　
　上記摘記事項（１）記載の「このランプハウス31cに突設されたプラグ31bと対物鏡筒22に設けられたソケット45とを互いに嵌入させて、電気的接続と対物鏡筒へのランプハウス31cの装着とを同時に行なっている。プラグ31bと発光光源3ldの一例としてのキセノンランプとが接続されており、対物鏡筒22のソケット45からプラグ3lbを介して、トリガー電気、照明用電気が供給される。」及び第４図から、
（イ）発光光源31dとプラグ31bとは電気的に接続されること、及び、
（ロ）ソケット45は、発光光源31dに電力を供給し、かつ、ランプハウス31cを鏡筒22に取り付ける際にプラグ31bを所定の位置に決める機能を有しており、ランプハウス31cの着脱に伴ってプラグ31bはソケット45に対して着脱されることが読み取れる。
　　
　これらの記載事項によると、引用例には、次の発明（以下、「引用例発明という。」）が記載されていると認められる。
　　
「手術患部を照明しつづける観察用照明光を供給するためのオプティカルライトガイド28を鏡筒22内に有する手術用顕微鏡において、
発光光源31dと、発光光源31dと電気的に接続されたプラグ31bと、を有するランプハウス31cと、前記発光光源31dに電力を供給するソケットであって、前記ランプハウス31cを前記鏡筒22に取り付ける際に前記プラグ31bを所定の位置に決め、前記ランプハウス31cの着脱に伴って前記プラグ31bが着脱されるソケット45と、を備え、前記発光光源31dの交換時には、前記ランプハウス31cごと交換する構成とした手術用顕微鏡。」
　　
３．対比・判断
　本願発明と引用例発明とを対比する。
（１）引用例発明の「発光光源31d」、「プラグ31b」、「ランプハウス31c」、「ソケット45」は、その機能・構造からみて、
本願発明の「照明光源」、「第１コネクタ」、「ランプユニット」、「第２コネクタ」に各々相当する。
　　
（２）引用例発明の「鏡筒22」は、構造からみて手術用顕微鏡の筐体の一部をなすことから、本願発明の「筐体」に相当する。
　　
（３）引用例発明の「手術患部を照明しつづける観察用照明光を供給するためのオプティカルライトガイド28を鏡筒22内に有する手術用顕微鏡」と、「チャート板を照明し、又は被検眼の眼底を観察若しくは撮影する照明光学系を所定の筐体内に配置し、被検眼を検査又は観察若しくは撮影する眼科装置」とは、「被検部を観察する照明光学系を筐体内に有する医療用観察装置」という点で共通する。
　　
（４）引用例発明の「発光光源31dと電気的に接続されたプラグ31b」と、本願発明の「照明光源が着脱自在なソケットと、該ソケットに電気的に接続された第１コネクタ」とは、電気的接続関係からみて、「照明光源と電気的に接続された第１コネクタ」という点で共通する。
　　
（５）引用例発明の「前記ランプハウス31cを前記鏡筒22に取り付ける際に前記プラグ31bを所定の位置に決め、前記ランプハウス31cの着脱に伴って前記プラグ31bが着脱されるソケット45」と、本願発明の「ランプユニットを装置に取り付ける際に前記第1コネクタを所定の位置に導くガイド部材を有し、ランプユニットの着脱に伴って第１コネクタが着脱される第２コネクタ」とは、電気的接続関係と位置決め機能からみて、「ランプユニットを装置に取り付ける際に前記第1コネクタを所定の位置に導く機能を有し、ランプユニットの着脱に伴って第１コネクタが着脱される第２コネクタ」である点で共通する。
　　
（６）引用例発明の「前記発光光源31dの交換時には、前記ランプハウス31cごと交換する構成」と、本願発明の「照明光源の交換時にはランプユニットごと予備のランプユニットに取り換える構成」とは、「照明光源の交換時にはランプユニットごと取り換える構成」である点で共通する。
　　　　
　以上、（１）〜（６）の考察から、両者は、
　　
（一致点）
「被検部を観察する照明光学系を筐体内に有する医療用観察装置において、
照明光源と、照明光源と電気的に接続された第１コネクタと、を有するランプユニットと、前記照明光源に電力を供給するコネクタであって、ランプユニットを装置に取り付ける際に前記第1コネクタを所定の位置に導く機能を有し、ランプユニットの着脱に伴って第１コネクタが着脱される第２コネクタと、を備え、照明光源の交換時にはランプユニットごと取り換える構成とした医療用観察装置。」
　　
である点で一致し、次の点で相違する。
　　
（相違点１）
　被検部を観察する照明光学系を筐体内に有する医療用観察装置が、本願発明では、「チャート板を照明し、又は被検眼の眼底を観察若しくは撮影する照明光学系を所定の筐体内に配置し、被検眼を検査又は観察若しくは撮影する眼科装置」であるのに対し、引用例発明では、「手術患部を照明しつづける観察用照明光を供給するためのオプティカルライトガイド28を鏡筒22内に有する手術用顕微鏡」であり、
　照明光源の具体的構成として、本願発明では、「筐体に設けられた部材に当接することにより光源の位置合わせを行う位置合わせ用フランジが取り付けられ」、かつ、第１コネクタとの間に「照明光源が着脱自在なソケット」が電気的に接続されているのに対し、引用例発明では、発光光源31dは、位置合わせ用フランジを有しておらず、プラグ31bとの間に他の部材を介しているか否かが不明である点。
　　
（相違点２）
　第２コネクタが、本願発明では、「ランプユニットを装置に取り付ける際に前記第1コネクタを所定の位置に導くガイド部材」を有しているのに対し、引用例発明ではプラグ31b自体がランプハウス31cを鏡筒22に取り付ける際にプラグ31bを所定の位置に決める機能を有しているが、ガイド部材が設けられているか否かが不明である点。
　　
（相違点３）
　照明光源の交換時にはランプユニットごと取り換える構成が、本願発明では、照明光源の交換時にはランプユニットごと予備のランプユニットに取り換える構成であるのに対し、引用例発明の発光光源31dの交換時には、ランプハウス31cごと交換する構成であるであり、予備のものと取り換えるか否かが不明である点。
　
（３）当審の判断
　上記（相違点１）について検討する。
　チャート板を照明し、又は被検眼の眼底を観察若しくは撮影する照明光学系を所定の筐体内に配置し、被検眼を検査又は観察若しくは撮影する眼科装置において、照明光源を交換可能に構成することは周知のことであり、また、眼科装置の照明光源の構造として、眼科装置の筐体に設けられた部材に当接して光源の位置合わせを行うフランジを照明光源に設けること、及び、照明光源をソケットに着脱自在に設けることも周知の技術である。
　例えば、特開平６−３１１９６９号公報には、「【０００２】【従来の技術】一般に、眼科観察撮影装置では、照明光源からの照明光を被検眼に向けて照射する照明光学系と、前記被検眼からの反射光による被検眼像を観察・撮影する観察撮影光学系を有するのが普通である。」、「【０００６】この取付構造では、装置本体の光源取付部５０に挿通孔５１が形成されている。この挿通孔は５１は、大径孔部５１ａ及び小径孔部５１ｂを有すると共に、この両孔部５１ａ，５１ｂ間に設けられた段部５１ｃを有する。そして、ソケット５２に保持されたハロゲンランプ５３（照明光源）の発光部５３ａが挿通孔５１に挿通されていると共に、ハロゲンランプ５３のフランジ５３ｂが段部５１ｃに当接させられている。また、光源取付部５０に固定された板バネ５４により、ソケット５２が挿通孔５１側に付勢されて、フランジ５３ｂが段部５１ｃに圧接されている。この様な構造により、ハロゲンランプ５３は、発光中心が照明光学系の光軸上の設定位置と一致するように、光源取付部５０に取り付けられるようになっている。図２(a)，(b)中、５２ａ，５２ｂはソケット５２のリード線である。」、「【００３６】【効果】この発明は、以上説明したように構成したので、照明光源交換時等において、照明光源の取付位置ずれや照明光源の劣化等の異常状態を確実に知ることができる。この結果、照明光源の取付位置ずれや照明光源の劣化等があっても、直ちに取付直しや交換を行って、撮影に影響が生じないようにできる。」と記載され、
特開２００３−１３５４００号公報には、「【従来技術】スリットランプや視力検査に使用する視標呈示装置など、被検眼やチャート板に照明光束を照射することによって観察や視標の呈示を行う眼科装置が知られている。このような眼科装置に使用される照明光源は繰り返し使用している間に耐用時間が来てしまい、切れてしまうことがある。従来ではこのように照明光源が切れてしまった場合、装置内部を開け、その後新しい光源に取り換えて再び使用している。」、「【００１５】１０１は照明部１０の筐体内部に固定保持されている外筒部である。外筒部１０１の上部には照明光を光軸Ｌ上に通すための開口部１０１ａが設けられている。また、外筒部１０１の下部には長孔１０１ｂが設けられている。１０２は内筒部であり、外筒部１０１の内部にて摺動可能に保持されている。内筒部の両端には、光源５０ａ、５０ｂを固定保持させるための固定部材１０３がそれぞれ設けられている。固定部材１０３は内筒部１０２内部に向かって延びる板バネ状の抜け止め部材１０４と、内筒部１０２の内側に突き出た凸部１０５からなる。この抜け止め部材１０４と凸部１０５とによって形成される間隙に、光源（主光源５０ａ、予備光源５０ｂ）に取り付けられたフランジ１０６を嵌め込むことにより、光源を内筒部１０２内にて固定保持することができる。切換部１００は予備光源５０ｂの保管場所も兼ねる。１０７はソケットであり、主光源５０ａと予備光源５０ｂとが各々嵌め込まれる。ソケット１０７から伸びる電線１０８はマイクロスイッチ７０へと繋がっている。」と記載されている。
　　
　したがって、引用例発明も上記周知の眼科装置も、交換の必要な照明手段を有する医療用観察装置という点で共通することから、引用例発明の医療用観察装置において、手術用顕微鏡に代えて、周知のソケットで接続され、かつ、位置合わせ用フランジを有する照明光源を具備した眼科装置を採用し、本願発明のようにすることは、当業者が容易になし得たことである。
　　
　次に、上記（相違点２）について検討する。
　電気接続のためのコネクタの構造において、コネクタ同士の接続を行う箇所にガイド構造を具備することは周知の技術である。
　例えば、特開昭６３−７８４６３号には、「このプラグガイド部材５８のすぐ近くにラッチ肩部６０、６０があり、これら肩部は、下部リップ５６のラッチ受入トラフ部分６２によって接続されている。ラッチ肩部６０は、第４図に示すようにモジュールプラグ３０の下部ラッチ３８に設けられた延長部６４、６４に係合して、プラグ３０をジャック１０と嵌合関係に保持する。図示されたように、ハウジング手段の内部側面５０、５２と上面、そしてガイド部材５８及びラッチ肩部６０の上面は、全て、開口２２からソケット１８に向かって内方にテーパがつけられていて、ソケット１８に対してフレア状の入口を画成し、嵌合プラグ３０の挿入及び取外しを容易にする。」（第５頁左下欄第１９行〜右下欄第１２行）と記載されており、
実願平４−４６８２６号（実開平６−２５７０号公報）のＣＤ−ＲＯＭには、「【００１３】図４は本考案の一実施例を示すジョイントコネクタの正面図である。ハウジングＢ内には、接続電線Ｗが電線固着部２に固定されたターミナルＡを所定の位置に嵌挿するための対向したガイド部材９と、ターミナルをハウジング内に係合するための弾性係止片８が設けられている。ハウジングＢにターミナルＡ1 を側壁３ａの幅ｘ2 に略等しい対向した一対のガイド部材９ａ間に挿入してゆくと、張出係合片３ｂ1 のコ字形状に対応して一方のガイド部材９ａとハウジング内側壁との間に形成された凹状溝部１０ａに一方の張出係合片３ｂ1 が嵌挿され、他方の張出係合片３ｂ1 の後端部が弾性係止片８ａに係止される。次に、ターミナルＡ2 を同様な手順で一対のガイド部材９ｂ間に挿入してゆくと、一方の張出係合片３ｂ2 が凹状溝部１０ｂに嵌挿され、他方の張出係合片３ｂ2 の後端部が弾性係止片８ｂに係止される。このとき、ターミナルＡ2 の弾性接触片４の腹部４ｂ2 がターミナルＡ1 の基板１に当接すると共に、しかも両側の張出係合片３ｂ2の両方の内側端部３ｃ2 がターミナルＡ1 の両側壁３ａ1 を挟持する。」と記載されている。
　　
　したがって、引用例発明のソケットに対し、周知のガイド構造を付加し、本願発明のように構成することは、当業者が容易になし得たことである。
  　
　上記（相違点３）について検討する。
　各種光源装置において、交換可能なランプユニットの構造において、交換可能な予備のユニットと取り換えることは、周知の技術である。
　例えば、実願昭６２−７３９２２号（実開昭６３−１８７１０８号）のマイクロフィルムには、「例えば第７図はその一例を示しており、１はランプハウス、２はランプハウス１に挿脱される蓋、３は蓋２の外面に固着された取手、４は蓋２の内面に固着された支持枠、５は支持枠４に取付けられたランプ、６はランプ５の後端に取付けられたソケット、７は蓋２の内面に取付けられていてソケット ６とリード線８を介して接統されていると共に蓋２をランプハウス１に装着した時ランプハウス１側の電源用コネクタ（図示されていない）と自動的に接続されるコネクタである。そして、これらが一つの光源ユニットを構成しており、これと同じ構成の予備の光源ユニットが別に備えられている。」（第２頁第１６行〜第３頁第８行）と記載されており、
特開２０００−６６１１７号公報には、「【００１９】ここで、内視鏡用光源装置１０は、ランプ光源１５、積算時間記録部１９、ＬＣＤ表示部２０が主たる構成要素としてユニット化されてなるので、ランプ光源１５の一般的寿命に基づいて使用可能な累積点灯時間を予め所定値として設定し、ランプ光源１５の累積点灯時間がその所定値に達したことをＬＣＤ表示部２０の表示により認識した場合に内視鏡用光源装置１０をビデオプロセッサ１１から取り外して予備のユニットと付け替えることによって、ランプ光源１５の交換が即座に完了するとともに、システム使用中におけるランプ光源の点灯切れ、劣化に基づく光量の低下を未然に防止することができる。」と記載されている。
    　
　よって、引用例発明の交換可能なランプハウスに対し、予備のものと取り換える周知技術を適用し、本願発明のように構成することは、当業者が容易になし得たことである。
　　
　そして、本願発明の奏する効果についても、引用例及び周知技術に基づいて当業者が予測し得る範囲内のものである。
　　
　したがって、本願発明は、引用例発明及び周知技術に基づいて当業者が容易に発明をすることができたものであるから、特許法第２９条第２項の規定により特許を受けることができない。
　　
４．むすび
　以上のとおり、本願発明は、特許法第２９条第２項の規定により特許を受けることができないものである。
　したがって、本願は、拒絶されるべきものである。
　　　
　よって、結論のとおり審決する。